(57)【要約】      （修正有）【課題】安全性の高い構造を有した注射針装置を提供する。【解決手段】注射針カニューレ１０２と、ロッキングエレメントを有するハブ１００と、圧縮スプリング１０８と、前記注射針カニューレの注射軸１０４に沿って開放する先端部と壁部と弾性ロッキング部とを有する注射針ガード１０６と、を備える。前記注射軸に対して放射状及び垂直に弾性を有し、前記弾性ロッキング部は、注射している間、前記圧縮スプリングの付勢力に抗して、少なくとも一つの前記ロッキングエレメントの第１の面に沿って前記少なくとも一つのロッキングエレメントに対して後方に移動する。さらに、注射の後、前記圧縮スプリングの付勢力の下、前記少なくとも一つのロッキングエレメントの第２の面に沿って前記少なくとも一つのロッキングエレメントに対して前方に移動するように作用し、前記注射軸に沿った前記注射針ガードのさらなる移動を防ぐ。【選択図】図１
0003171873.tif 000002
【実用新案登録請求の範囲】
【請求項１】
注射針カニューレと、
流体の流路を有する注射器のアタッチメント部と、注射軸に沿って前記流体の流路と連通する前記注射針カニューレの固定アタッチメントのための注射針カニューレアタッチメント部と、少なくとも１つのロッキングエレメントとを備え、前方に面するスプリング座を定義する一体化された一つのハブと、
前記注射軸に沿って設けられ、前記前方に面するスプリング座に設置される圧縮スプリングと、
前方に面する注射場所の係合面を有する先端部と、前記注射針カニューレの前記注射軸に沿って表面と通し孔を定義する後方に面するスプリング座と、前記注射軸に平行に延びる少なくとも一つの側壁と、少なくとも一つの弾性ロッキング部と、を有する一体化された一つの注射針ガードと、
を備え、該注射針ガードは、前記注射軸に対して放射状及び垂直に弾性を有し、前記弾性ロッキング部は、注射している間、前記圧縮スプリングの付勢力に抗して、少なくとも一つの前記ロッキングエレメントの第１の面に沿って前記少なくとも一つのロッキングエレメントに対して後方に移動すると共に、注射の後、前記圧縮スプリングの付勢力の下、前記少なくとも一つのロッキングエレメントの第２の面に沿って前記少なくとも一つのロッキングエレメントに対して前方に移動するように作用し、前記注射軸に沿った前記注射針ガードのさらなる移動を防ぎ、前記第１及び第２の面は前記注射軸に対して放射状及び垂直に延びる軸に沿ってお互いから相互に間隔を空けていることを特徴とする安全な注射針装置。
【請求項２】
前記ロッキングエレメントは前記注射軸と交差する方向に延びている請求項１に記載の安全な注射針装置。
【請求項３】
前記スプリング座は前記注射針カニューレアタッチメント部の周囲に延びている請求項１に記載の安全な注射針装置。
【請求項４】
前記スプリング座は前記注射針カニューレアタッチメント部の周囲に延びている請求項２に記載の安全な注射針装置。
【請求項５】
前記第１の面は前記第２の面に対して放射状内側に配置されている請求項１に記載の安全な注射針装置。
【請求項６】
前記第１の面は前記第２の面に対して放射状内側に配置されている請求項２に記載の安全な注射針装置。
【請求項７】
前記第１の面は前記第２の面に対して放射状内側に配置されている請求項３に記載の安全な注射針装置。
【請求項８】
前記第１の面は前記第２の面に対して放射状内側に配置されている請求項４に記載の安全な注射針装置。
【考案の詳細な説明】
【技術分野】
【０００１】
本考案は、通常、安全な注射針装置に属する。
【背景技術】
【０００２】
以下の特許文書が当技術分野の現状を表わしていると考えられる。
【０００３】
US4,813,940;US5,104,384;US5,389,085;US5,688,241;US6,855,129;
US2005/0113750;US2006/0167411及びUS2008/0167624
【考案の概要】
【考案が解決しようとする課題】
【０００４】
本考案は、改善された安全な注射針装置を探求している。
【課題を解決するための手段】
【０００５】
本考案の好適な実施の形態によれば、注射針カニューレと、流体の流路を有する注射器のアタッチメント部と、注射軸に沿って前記流体の流路と連通する前記注射針カニューレの固定アタッチメントのための注射針カニューレアタッチメント部と、少なくとも１つのロッキングエレメントとを備え、前方に面するスプリング座を定義する一体化された一つのハブと、前記注射軸に沿って設けられ、前記前方に面するスプリング座に設置される圧縮スプリングと、前方に面する注射場所の係合面を有する先端部と、前記注射針カニューレの前記注射軸に沿って表面と通し孔を定義する後方に面するスプリング座と、前記注射軸に平行に延びる少なくとも一つの側壁と、少なくとも一つの弾性ロッキング部と、を有する一体化された一つの注射針ガードと、を備え、該注射針ガードは、前記注射軸に対して放射状及び垂直に弾性を有し、前記弾性ロッキング部は、注射している間、前記圧縮スプリングの付勢力に抗して、少なくとも一つの前記ロッキングエレメントの第１の面に沿って前記少なくとも一つのロッキングエレメントに対して後方に移動すると共に、注射の後、前記圧縮スプリングの付勢力の下、前記少なくとも一つのロッキングエレメントの第２の面に沿って前記少なくとも一つのロッキングエレメントに対して前方に移動するように作用し、前記注射軸に沿った前記注射針ガードのさらなる移動を防ぎ、前記第１及び第２の面は前記注射軸に対して放射状及び垂直に延びる軸に沿ってお互いから相互に間隔を空けていることを特徴とする安全な注射針装置を提供する。
【０００６】
本考案の好適な実施の形態によれば、前記ロッキングエレメントは前記注射軸と交差する方向に延びている。
【０００７】
本考案の好適な実施の形態によれば、前記スプリング座は前記注射針カニューレアタッチメント部の周囲に延びている。
【０００８】
本考案の好適な実施の形態によれば、前記第１の面は前記第２の面に対して放射状内側に配置されている。
【０００９】
本考案の好適な実施の形態によれば、前記第１の面は前記第２の面に対して放射状内側に配置されている。
【図面の簡単な説明】
【００１０】
【図１】本考案の好適な実施の形態により構成及び動作される安全な注射針装置を示す概略斜視図である。
【図２Ａ】図１の装置で有用な注射針カニューレの概略図である。
【図２Ｂ】図１の装置で有用な注射針カニューレの概略図である。
【図２Ｃ】図１の装置で有用な注射針カニューレの概略図である。
【図３Ａ】図２Ｂの線ＩＶＡ−ＩＶＡに沿って切断した断面図である。
【図３Ｂ】図２Ｃの線ＩＶＢ−ＩＶＢに沿って切断した断面図である。
【図４Ａ】図１の装置に有用な注射針ガードの概略図である。
【図４Ｂ】図１の装置に有用な注射針ガードの概略図である。
【図４Ｃ】図１の装置に有用な注射針ガードの概略図である。
【図５Ａ】図４Ｂの線ＩＶＡ−ＩＶＡに沿って切断した断面図である。
【図５Ｂ】図４Ｃの線ＩＶＢ−ＩＶＢに沿って切断した断面図である。
【図６Ａ】図１〜図５Ｂの安全な注射針装置の作用における各種段階を示す概略斜視図である。
【図６Ｂ】図１〜図５Ｂの安全な注射針装置の作用における各種段階を示す概略斜視図である。
【図６Ｃ】図１〜図５Ｂの安全な注射針装置の作用における各種段階を示す概略斜視図である。
【図６Ｄ】図１〜図５Ｂの安全な注射針装置の作用における各種段階を示す概略斜視図である。
【図６Ｅ】図１〜図５Ｂの安全な注射針装置の作用における各種段階を示す概略斜視図である。
【図６Ｆ】図１〜図５Ｂの安全な注射針装置の作用における各種段階を示す概略斜視図である。
【図６Ｇ】図１〜図５Ｂの安全な注射針装置の作用における各種段階を示す概略斜視図である。
【図６Ｈ】図１〜図５Ｂの安全な注射針装置の作用における各種段階を示す概略斜視図である。
【図７Ａ】図６Ａ〜図６Ｈの安全な注射針装置の作用における各種段階を示す断面図である。
【図７Ｂ】図６Ａ〜図６Ｈの安全な注射針装置の作用における各種段階を示す断面図である。
【図７Ｃ】図６Ａ〜図６Ｈの安全な注射針装置の作用における各種段階を示す断面図である。
【図７Ｄ】図６Ａ〜図６Ｈの安全な注射針装置の作用における各種段階を示す断面図である。
【図７Ｅ】図６Ａ〜図６Ｈの安全な注射針装置の作用における各種段階を示す断面図である。
【図７Ｆ】図６Ａ〜図６Ｈの安全な注射針装置の作用における各種段階を示す断面図である。
【図７Ｇ】図６Ａ〜図６Ｈの安全な注射針装置の作用における各種段階を示す断面図である。
【図７Ｈ】図６Ａ〜図６Ｈの安全な注射針装置の作用における各種段階を示す断面図である。
【考案を実施するための形態】
【００１１】
本考案は以下の詳細な説明から十分に理解されるだろう。
【００１２】
先ず、本考案の好適な実施の形態により構成及び動作される安全な注射針装置を示す図１〜６Ｈを参照する。
【００１３】
図１は本考案の好適な実施の形態により構成及び動作される安全な注射針装置を示す概略斜視図である。図１に示されているように、安全な注射針装置は、注射軸１０４に沿って延びる注射針カニューレ１０４が通常は接着剤により取り付けられるハブ１００と、注射針ガード１０６と、スプリング１０８と、を備えている。
本考案の好適な実施の形態によれば、一体化された一つのハブ１００は、注射針のない注射器（図示なし）受け入れる流体の流路１１２を有する注射器アタッチメント部１１０と、注射軸１０４に沿って流体の流路１１２と連通する注射針カニューレ１０２の固定アタッチメントのための注射針カニューレアタッチメント部１１３と、ロッキングエレメント１１４及び１１６と、により構成されており、一体化された一つのハブは前方に面するスプリング座１１８を定義する。
【００１４】
前記安全な注射針装置はまた、好ましくは、注射軸１０４に沿って配置され、前方に面するスプリング座１１８に設置される圧縮スプリング１０８を備えている。
【００１５】
本考案の好適な実施の形態によれば、一体化された一つの注射針装置ガード１０６は、前方に面する注射場所の係合面１２２を有する先端部１２０と、注射針カニューレ１０２のために注射軸１０４に沿って表面１２４と通し孔を定義する後方に面するスプリング座と、注射軸１０４に平行に延びる壁部１２６及び１２８と弾性ロッキング部１３０及び１３２と、を備えており、注射軸に対して放射状及び垂直に弾性を有し、弾性ロッキング部１３０及び１３２は、注射している間、圧縮スプリング１０８の付勢力に抗して、ロッキングエレメント１１４及び１１６の第１の面１３４及び１３６に沿ってロッキングエレメント１１４及び１１６に対して後方に移動すると共に、注射の後、圧縮スプリング１０８の付勢力の下、ロッキングエレメント１１４及び１１６の第２の面１３８及び１４０に沿ってロッキングエレメント１１４及び１１６に対して前方に移動するように作用し、注射軸１０４に沿って注射針ガード１０６がロッキングエレメント１１４及び１１６と係合するようにさらに移動するのを防ぎ、第１及び第２の面は注射軸１０４に対して放射状及び垂直に延びる軸１０４に沿ってお互いから相互に間隔を空けている。
【００１６】
図２，２Ａ，２Ｂ，３Ａ及び３Ｂは、ハブ１００の好適な実施の形態を示している。図２〜３Ｂに部分的に示されているように、ハブ１００は、注射器アタッチメント部１１０のルアロック（Luer lock）を定義する、一般に円筒形状のエレメントであり、注射器アタッチメント部１１０の外側スレッディング１４４と注射器アタッチメント部１１０の一般に円錐形の内部通路１４６とを有している。
【００１７】
通路１４６は、注射針カニューレ１０２と連通する流体の流路１１２を定義する隔壁１４８で終結される。
【００１８】
第１及び第２の一般に軸に沿って延びる部分１５０及び１５２は注射器アタッチメント部１１０のルアロックでロッキングエレメント１１４及び１１６と連通している。
【００１９】
ロッキングエレメント１１４は面１３４及び１３８を有し、ロッキングエレメント１１６は面１３６及び１４０を有している。
【００２０】
図４，４Ａ，４Ｂ，５Ａ及び５Ｂは、注射針ガード１０６の好適な実施の形態を示している。図４〜５Ｂに示されているように、注射針ガード１０６は、好ましくは、一体のエレメントであり、通常、射出成形され、前方に面する注射場所の係合面を有する先端部１２０と、面を定義する後方を面するスプリング座１２４と、壁部１２６及び１２８と、弾性ロッキング部１３０及び１３２と、を備えている。
【００２１】
図６Ａ、６Ｂ，６Ｃ，６Ｄ，６Ｅ，６Ｆ，６Ｇ及び６Ｈは、図１〜５Ｂの安全な注射針装置の作用における各種段階を示す概略斜視図である。
【００２２】
図６Ａ，６Ｂ，６Ｃ及び６Ｄにおいて、弾性ロッキング部１３０及び１３２は、注射している間、圧縮スプリング１０８の付勢力に抗して、ロッキングエレメント１１４及び１１６の第１の面１３４及び１３６に沿ってロッキングエレメント１１４及び１１６に対して後方に移動するように作用する。
【００２３】
図６Ｅ，６Ｆ，６Ｇ及び６Ｈにおいて、弾性ロッキング部１３０及び１３２は、注射の後、圧縮スプリング１０８の付勢力の下、ロッキングエレメント１１４及び１１６の第２の面１３８及び１４０に沿ってロッキングエレメント１１４及び１１６に対して前方に移動するように作用し、注射軸１０４に沿って注射針ガード１０６がロッキングエレメント１１４及び１１６と係合するようにさらに移動するのを防止する。
【００２４】
図７Ａ，７Ｂ，７Ｃ，７Ｄ，７Ｅ，７Ｆ，７Ｇ及び７Ｈは、図６Ａ〜６Ｈの安全な注射針装置の断面図である。
【図１】
0003171873.tif 000003
【図２Ａ】
0003171873.tif 000004
【図２Ｂ】
0003171873.tif 000005
【図２Ｃ】
0003171873.tif 000006
【図３Ａ】
0003171873.tif 000007
【図３Ｂ】
0003171873.tif 000008
【図４Ａ】
0003171873.tif 000009
【図４Ｂ】
0003171873.tif 000010
【図４Ｃ】
0003171873.tif 000011
【図５Ａ】
0003171873.tif 000012
【図５Ｂ】
0003171873.tif 000013
【図６Ａ】
0003171873.tif 000014
【図６Ｂ】
0003171873.tif 000015
【図６Ｃ】
0003171873.tif 000016
【図６Ｄ】
0003171873.tif 000017
【図６Ｅ】
0003171873.tif 000018
【図６Ｆ】
0003171873.tif 000019
【図６Ｇ】
0003171873.tif 000020
【図６Ｈ】
0003171873.tif 000021
【図７Ａ】
0003171873.tif 000022
【図７Ｂ】
0003171873.tif 000023
【図７Ｃ】
0003171873.tif 000024
【図７Ｄ】
0003171873.tif 000025
【図７Ｅ】
0003171873.tif 000026
【図７Ｆ】
0003171873.tif 000027
【図７Ｇ】
0003171873.tif 000028
【図７Ｈ】
0003171873.tif 000029